(57)【要約】【課題】放熱性を向上させることができる照明装置を提供することである。【解決手段】実施形態に係る照明装置は、発光素子を有する複数の発光部と、前記複数の発光部のそれぞれに設けられた複数の光学要素部と、前記複数の発光部と、前記複数の光学要素部と、を収納し、第１の面と、前記第１の面に対向する第２の面と、の間を貫通する孔部を有する第１の収納部と、前記複数の発光部に電力を供給する制御部と、前記第１の収納部の前記第２の面の側に空間を介して設けられ、前記制御部の少なくとも一部を収納する第２の収納部と、を備えている。    そして、前記空間の照明装置の外部に面する開口の開口面積をＡ、前記孔部の前記照明装置の外部に面する開口の開口面積をＢとした場合に以下の式を満足する。    Ｂ／Ａ≧０．３【選択図】図２
2015060740.tif 000002
【特許請求の範囲】
【請求項１】
発光素子を有する複数の発光部と、
前記複数の発光部のそれぞれに設けられた複数の光学要素部と、
前記複数の発光部と、前記複数の光学要素部と、を収納し、第１の面と、前記第１の面に対向する第２の面と、の間を貫通する孔部を有する第１の収納部と、
前記複数の発光部に電力を供給する制御部と、
前記第１の収納部の前記第２の面の側に空間を介して設けられ、前記制御部の少なくとも一部を収納する第２の収納部と、
を備え、
前記空間の照明装置の外部に面する開口の開口面積をＡ、前記孔部の前記照明装置の外部に面する開口の開口面積をＢとした場合に以下の式を満足する照明装置。
Ｂ／Ａ≧０．３
【請求項２】
前記第１の収納部と、前記第２の収納部と、を接続する接続部をさらに備え、
前記接続部は、３つ以上設けられている請求項１記載の照明装置。
【請求項３】
前記３つ以上設けられた接続部の少なくとも１つの内部には、前記発光部と、前記制御部と、を電気的に接続する配線が設けられている請求項２記載の照明装置。
【請求項４】
前記複数の光学要素部は、前記照明装置の中心軸を中心として回転対称となる位置に設けられている請求項１〜３のいずれか１つに記載の照明装置。
【請求項５】
前記第２の収納部は、前記空間の内部に突出する第１の凸部をさらに有し、
前記第１の凸部の前記照明装置の中心軸に直交する方向の断面寸法は、前記孔部の前記空間側の開口の前記照明装置の中心軸に直交する方向の断面寸法よりも短い請求項１〜４のいずれか１つに記載の照明装置。
【請求項６】
前記第１の凸部の内部には、前記制御部の一部が設けられている請求項５記載の照明装置。
【請求項７】
前記第２の収納部は、前記空間の内部に突出し、前記照明装置の中心軸を中心に、所定の間隔を開けて放射状に設けられた複数の第２の凸部をさらに有する請求項１〜６のいずれか１つに記載の照明装置。
【請求項８】
前記第１の収納部は、前記空間の内部に突出し、前記照明装置の中心軸を中心に、所定の間隔を開けて放射状に設けられた複数の第３の凸部をさらに有する請求項１〜７のいずれか１つに記載の照明装置。
【請求項９】
前記孔部の前記空間側の開口の近傍における前記照明装置の中心軸に直交する方向の断面寸法は、前記空間側に向かうに従い漸増している請求項１〜８のいずれか１つに記載の照明装置。
【請求項１０】
前記複数の光学要素部は、前記孔部の周りに設けられ、
前記孔部の前記照明装置の外部に面する開口の外縁の一部は、前記複数の光学要素の外縁に内接する円よりも外方に設けられている請求項１〜９いずれか１つに記載の照明装置。
【発明の詳細な説明】
【技術分野】
【０００１】
後述する実施形態は、概ね、照明装置に関する。
【背景技術】
【０００２】
光源に発光ダイオード（ＬＥＤ；Light Emitting Diode）を用いたダウンライトやスポットライトなどの照明装置が実用化されている。  
光源に発光ダイオードを用いた照明装置は、寿命が長く、また、消費電力も少なくすることができる。  
しかしながら、光源に発光ダイオードを用いた照明装置においては、光源や制御部における発熱量が多くなるという問題がある。  
さらに、既存の白熱電球やハロゲン電球などとの置き換えを考慮すると、外形寸法に制約が生じる。  
そのため、外形寸法を大きくすることで、自然空冷による冷却効果を高めることが困難となる。
【先行技術文献】
【特許文献】
【０００３】
【特許文献１】実用新案登録第３１８１９９１号公報
【発明の概要】
【発明が解決しようとする課題】
【０００４】
本発明が解決しようとする課題は、放熱性を向上させることができる照明装置を提供することである。
【課題を解決するための手段】
【０００５】
実施形態に係る照明装置は、発光素子を有する複数の発光部と、前記複数の発光部のそれぞれに設けられた複数の光学要素部と、前記複数の発光部と、前記複数の光学要素部と、を収納し、第１の面と、前記第１の面に対向する第２の面と、の間を貫通する孔部を有する第１の収納部と、前記複数の発光部に電力を供給する制御部と、前記第１の収納部の前記第２の面の側に空間を介して設けられ、前記制御部の少なくとも一部を収納する第２の収納部と、を備えている。  
そして、前記空間の照明装置の外部に面する開口の開口面積をＡ、前記孔部の前記照明装置の外部に面する開口の開口面積をＢとした場合に以下の式を満足する。  
Ｂ／Ａ≧０．３
【図面の簡単な説明】
【０００６】
【図１】本実施の形態に係る照明装置１の外観を例示するための模式図である。
【図２】本実施の形態に係る照明装置１の断面を例示するための模式斜視図である。
【図３】開口面積比と、流速の測定位置とを例示するための模式断面図である。
【図４】放熱効果を例示するためのグラフ図である。
【図５】他の実施形態に係る照明装置１１を例示するための模式断面図である。
【図６】（ａ）〜（ｃ）は、凸部１３ａの効果を例示するための図である。
【図７】（ａ）、（ｂ）は、凸部１３ａの効果を例示するための図である。
【図８】他の実施形態に係る照明装置２１の断面を例示するための模式斜視図である。
【図９】他の実施形態に係る照明装置３１の断面を例示するための模式斜視図である。
【発明を実施するための形態】
【０００７】
以下、図面を参照しつつ、実施の形態について例示をする。なお、各図面中、同様の構成要素には同一の符号を付して詳細な説明は適宜省略する。  
図１は、本実施の形態に係る照明装置１の外観を例示するための模式図である。  
図２は、本実施の形態に係る照明装置１の断面を例示するための模式斜視図である。  
図１および図２に示すように、照明装置１には、本体部２、本体部３、接続部４、発光モジュール５、カバー６、給電部７、および制御部８が設けられている。
【０００８】
本体部２は、収納部２ａ（第１の収納部の一例に相当する）、孔部２ｂ、および放熱部２ｃを有する。  
収納部２ａの平面形状は、環状を呈している。  
照明装置１の中心軸１ａを含む面における収納部２ａの断面形状は、凹状を呈している。収納部２ａの一方の端部は開口している。収納部２ａの内部には発光モジュール５が収納されている。
【０００９】
孔部２ｂは、収納部２ａの中央部分を厚み方向（中心軸１ａ方向）に貫通している。  
すなわち、孔部２ｂは、収納部２ａの第１の面２ａ１と、第１の面２ａ１に対向する第２の面２ａ２との間を貫通する。  
孔部２ｂの空間１ｂ側の開口２ｂ２の近傍における照明装置１の中心軸１ａに直交する方向の断面寸法は、空間１ｂ側に向かうに従い漸増している。  
この様にすれば、孔部２ｂの内部を自然対流により流れる空気の流れを円滑にすることができる。
【００１０】
孔部２ｂの照明装置１の外部に面する開口２ｂ１は、複数の光学要素部５ｃの外縁の一部分に沿った形状を有している。例えば、開口２ｂ１の外縁の一部は、複数の光学要素部５ｃの外縁に内接する円よりも外方に設けられている。光学要素部５ｃが４つ設けられている場合には、開口２ｂ１の平面形状を略十字状とすることができる。  
この様にすれば、複数の発光部５ｂ同士の間を自然対流により流れる空気の流れを形成することができる。
【００１１】
放熱部２ｃは、環状部２ｃ１および支持部２ｃ２を有する。  
環状部２ｃ１は、環状を呈し、収納部２ａの開口側の端部を囲むように設けられている。環状部２ｃ１と収納部２ａの外側面との間には隙間が設けられている。  
支持部２ｃ２は、収納部２ａの外側面から突出している。  
支持部２ｃ２は、所定の間隔をあけて複数設けられている。  
複数の支持部２ｃ２は、中心軸１ａを中心として放射状に設けられている。  
支持部２ｃ２の一方の端部は、環状部２ｃ１と接続されている。  
収納部２ａ、孔部２ｂ、および放熱部２ｃは、一体に成形することができる。
【００１２】
収納部２ａ、孔部２ｂ、および放熱部２ｃの材料には、特に限定はない。  
ただし、放熱性の観点からは、収納部２ａ、孔部２ｂ、および放熱部２ｃは、熱伝導率の高い材料から形成することが好ましい。熱伝導率の高い材料としては、例えば、アルミニウムやマグネシウム合金等の金属、セラミックス（例えば、酸化アルミニウム(Ａｌ２Ｏ３)、窒化アルミニウム（ＡｌＮ）など）などの無機材料、高熱伝導性樹脂などの有機材料などを例示することができる。
【００１３】
本体部３は、収納部３ａ（第２の収納部の一例に相当する）および放熱部３ｂを有する。
収納部３ａは、収納部２ａの第２の面２ａ２の側に空間１ｂを介して設けられている。
収納部２ａと収納部３ａとを離隔させるようにすれば、放熱性を向上させることができる。  
なお、放熱性に関する詳細は後述する。  
収納部３ａの収納部２ａが設けられる側とは反対側の端面には、開口部が設けられている。  
収納部３ａは、箱状を呈している。収納部３ａの内部には、制御部８の少なくとも一部を設けることができる。  
収納部３ａの中心軸１ａと直交する方向の長さは、収納部２ａの中心軸１ａと直交する方向の長さより短くなっている。
【００１４】
放熱部３ｂは、板状を呈し、収納部３ａの外側面から突出している。  
放熱部３ｂは、所定の間隔をあけて複数設けられている。  
放熱部３ｂの端部における中心軸１ａと直交する方向の長さ（突出長さ）は、本体部２側の方が給電部７側の方よりも長くなっている。  
複数の放熱部３ｂは、中心軸１ａを中心として放射状に設けられている。  
平面視において、複数の放熱部３ｂのそれぞれは、複数の支持部２ｃ２のそれぞれと重なる位置に設けられている。
【００１５】
すなわち、平面視において、放熱部３ｂ同士の間に支持部２ｃ２が設けられていない。また、前述したように、環状部２ｃ１と収納部２ａの外側面との間には隙間が設けられている。  
そのため、照明装置１の外側面に沿って中心軸１ａ方向に流れる空気の流れ（自然対流による空気の流れ）が乱れることを抑制することができる。
【００１６】
収納部３ａおよび放熱部３ｂの材料には、特に限定はない。  
ただし、放熱性の観点からは、収納部３ａおよび放熱部３ｂは、熱伝導率の高い材料から形成することが好ましい。熱伝導率の高い材料は、例えば、前述したものと同様とすることができる。
【００１７】
接続部４は、柱状を呈し、本体部２と本体部３との間に設けられている。接続部４は、本体部２と本体部３を接続する。  
接続部４と、本体部２および本体部３との接続は、ねじなどの締結部材を用いて行うこともできるし、接着剤などの接合部材を用いて行うこともできる。  
接続部４は、複数設けられている。接続部４の数には特に限定はないが、３つ以上の接続部４を設けることが好ましい。３つ以上の接続部４を設ければ、本体部２、本体部３、および接続部４からなる構造体の剛性を高めることができる。
【００１８】
また、複数の接続部４の少なくとも１つには、接続部４の軸方向を貫通する孔部４ａが設けられている。接続部４の軸方向を貫通する孔部４ａには、発光モジュール５と制御部８とを電気的に接続する配線を通すことができる。  
すなわち、複数の接続部４の少なくとも１つの内部には、発光部５ｂと制御部８とを電気的に接続する配線が設けられている。
【００１９】
発光モジュール５は、基板５ａ、発光部５ｂ、および光学要素部５ｃを有する。  
発光モジュール５は、収納部２ａの内部に設けられている。  
基板５ａは、板状を呈し、表面に図示しない配線パターンが設けられている。  
基板５ａの平面形状は、例えば、環状とすることができる。なお、基板５ａは、複数の発光部５ｂ毎に設けられていてもよい。
【００２０】
基板５ａの材料には特に限定はないが、熱膨張が少なく、放熱性および耐熱性に優れた材料とすることが好ましい。基板５ａは、例えば、アルミニウムなどの金属をベースとした熱伝導性基板(ＭＣＰＣＢ；Metal Core Printed Circuit Board)やセラミックなどの無機材料から形成することが好ましい。  
熱膨張が少なく、放熱性および耐熱性に優れた材料から基板５ａを形成すれば、発光部５ｂにおいて発生した熱を効率よく収納部２ａ、ひいては放熱部２ｃに伝えることができる。
【００２１】
発光部５ｂは、基板５ａの上に複数設けられている。複数の発光部５ｂは、孔部２ｂの周りに設けられている。  
発光部５ｂの数には特に限定はないが、３つ以上の発光部５ｂを設けるようにすれば、配光に関する方向依存性を低減させることができる。  
複数の発光部５ｂは、例えば、中心軸１ａを中心として回転対称となる位置に設けることができる。  
複数の発光部５ｂの配置をこの様にすれば、配光に関する方向依存性をさらに低減させることができる。
【００２２】
発光部５ｂには、少なくとも１つの発光素子が設けられている。  
発光素子は、例えば、発光ダイオードやレーザダイオードなどとすることができる。発光素子は、基板５ａの上に実装されている。発光素子は、例えば、ＣＯＢ(chip on board)法やＳＭＴ（Surface mount technology）法により実装することができる。  
また、蛍光体を含む樹脂で発光素子を覆い、所望の発光色が得られるようにすることもできる。
【００２３】
光学要素部５ｃは、複数設けられている。複数の光学要素部５ｃのそれぞれは、複数の発光部５ｂのそれぞれの上に設けられている。そのため、複数の光学要素部５ｃの配置は、複数の発光部５ｂの配置と同じとされる。すなわち、複数の光学要素部５ｃは、中心軸１ａを中心として回転対称となる位置に設けることができる。
【００２４】
また、光学要素部５ｃとカバー６とを一体に成形することもできる。  
光学要素部５ｃは、発光部５ｂから照射された光の配光角を制御する。光学要素部５ｃは、例えば、図２に例示をしたレンズとすることもできるし、リフレクタとすることもできる。光学要素部５ｃをレンズとする場合には、光学要素部５ｃの材料は、例えば、カバー６の材料と同じとすることができる。
【００２５】
カバー６は、板状を呈し、収納部２ａの開口を覆っている。カバー６により収納部２ａの開口を覆うようにすれば、収納部２ａの内部に外気、水分、および異物などが侵入するのを抑制することができる。そのため、発光モジュール５に設けられた発光素子や配線パターンなどが劣化するのを抑制することができる。  
カバー６の材料は、発光部５ｂから照射された光に対する透光性を有するものであれば特に限定はない。ただし、収納部２ａにおける密閉性を考慮すると、ガス透過性の低い材料とすることが好ましい。カバー６の材料は、例えば、アクリル樹脂などとすることができる。
【００２６】
給電部７は、一方の端部が開口し、他方の端部が閉鎖された筒状を呈している。  
給電部７の開口側の端部は、収納部３ａの開口部の周縁に設けられている。そのため、給電部７の内部空間は、収納部３ａの内部空間とつながっている。  
なお、給電部７は、収納部３ａと一体に成形することができる。  
給電部７の内部には、制御部８の一部を設けることができる。
【００２７】
給電部７の閉鎖された側の端部からは、端子７ａが突出している。端子７ａは、制御部８と電気的に接続されている。  
給電部７は、口金の機能をも有している。例えば、図１および図２に例示をしたように、給電部７は、金属製のピン状の端子を有する差し込み型の口金とすることができる。差し込み型の口金としては、例えば、国際電気標準会議（IEC；International Electrotechnical Commission）規格に定められたＧＵ５．３型やＧＵ１０型などを例示することができる。
【００２８】
ただし、口金の態様は例示をしたものに限定されるわけではなく、適宜変更することができる。  
例えば、日本工業規格(JIS;Japanese Industrial Standards)に定められたＥ１１型などのネジ込型の口金とすることもできる。  
端子７ａには、外部の図示しない電源などが電気的に接続される。そのため、制御部８は、端子７ａを介して、外部の図示しない電源などと電気的に接続される。
【００２９】
制御部８は、基板８ａおよび各種の電子部品８ｂを有する。  
制御部８は、例えば、点灯回路を有する。点灯回路は、発光モジュール５の発光部５ｂに電力を供給するためのものである。そのため、制御部８は、発光モジュール５の発光部５ｂに電力を供給することができる。
【００３０】
また、制御部８は、例えば、調光回路をも有するものとすることができる。調光回路は、発光モジュール５の発光部５ｂの調光を行うためのものである。そのため、制御部８は、発光モジュール５の発光部５ｂの調光をも行うことができる。
【００３１】
次に、照明装置１における放熱性についてさらに例示をする。  
既存の白熱電球やハロゲン電球などとの置き換えを考慮すると、照明装置１の外形寸法には制約が生じる。そのため、照明装置１には、外形寸法の増加を抑制しつつ、発光量の増加（高出力化）を図ることが望まれる。
【００３２】
外形寸法の増加を抑制するために、発光モジュール５や制御部８に実装された電子部品の実装密度を変えないようにし、その状態で発光量の増加を図ると発熱密度が上昇する。発熱密度が上昇すると、照明装置１の性能が低下したり、寿命が短くなったりするおそれがある。例えば、発光部５ｂに設けられた発光素子を規格よりも高い温度で使用すると発光輝度の低下や寿命の低下を招くことになる。また、制御部８に設けられる電子部品を規格よりも高い温度で使用すると性能の低下や寿命の低下を招くことになる。
【００３３】
また、外形寸法の増加を抑制するためには、発光モジュール５と制御部８との間の距離を短くする必要がある。そのため、発光モジュール５と制御部８とが互いの熱の影響を受け、発光モジュール５と制御部８の温度が上昇しやすくなる。  
この様に、照明装置１の外形寸法の増加を抑制しようとすると、照明装置１の温度が上昇しやすくなる。  
この場合、照明装置の側面に平行平板状の放熱フィンを設ければ、放熱性を改善することができる。  
しかしながら、平行平板状の放熱フィンにおいては、空気の流れる方向が主に放熱フィンが延びる方向となる。そのため、照明装置１の設置方向などによっては、自然対流による放熱効果が著しく悪くなるおそれがある。
【００３４】
ここで、本体部２の収納部２ａの内部には、発熱源となる発光モジュール５が設けられている。本体部３の収納部３ａの内部には、発熱源となる制御部８が設けられている。  
そのため、本実施の形態に係る照明装置１においては、本体部２と本体部３とを離隔させて、本体部２と本体部３との間に空間１ｂを設けるようにしている。すなわち、本体部２と本体部３との間に空気の層を形成することで、発光モジュール５と制御部８との間の熱的な干渉を緩和するようにしている。  
また、本体部２と本体部３とを離隔させることで、放熱面積を大きくすることができる。
【００３５】
また、空間１ｂは、照明装置１の側方側に開口している。そして、空間１ｂと孔部２ｂはつながっている。  
そのため、照明装置１の中心軸１ａ方向および中心軸１ａに直交する方向に流れる空気の流れを形成することができる。  
すなわち、照明装置１の内部において、自然対流による放熱を行うことが可能となる。  そのため、照明装置１の外形寸法の増加を抑制するとともに、放熱性を向上させることが可能となる。  
また、照明装置１の設置方向が変化しても、照明装置１の内部における自然対流による空気の流れを維持することができる。そのため、例えば、照明装置１を天井に設置したり、壁面に設置したり、床面に設置したりしても、一定の放熱性能を保つことができる。
【００３６】
次に、本実施の形態に係る照明装置１における放熱効果について例示をする。  
図３は、開口面積比と、流速の測定位置とを例示するための模式断面図である。  
図３に示すように、本体部２と本体部３との間の空間１ｂの外部に面する開口１ｂ１の開口面積をＡ、本体部２の孔部２ｂの外部に面する開口２ｂ１の開口面積をＢとすると、開口面積比はＢ／Ａとすることができる。  
なお、開口面積Ａは、照明装置１の中心軸１ａに平行な方向における面積である。  
開口面積Ｂは、照明装置１の中心軸１ａに直交する方向における面積である。    
空間１ｂにおける空気の流速Ｓは、空間１ｂ中央であって外部に面する開口２ｂ２の近傍における流速とした。
【００３７】
図４は、放熱効果を例示するためのグラフ図である。  
なお、図４中のＴ１は、照明装置１の本体部２側が重力方向の下側を向いている場合である。例えば、Ｔ１は、照明装置１が天井に設置された場合である。  
Ｔ２は、照明装置１の本体部２側が重力方向の上側を向いている場合である。例えば、Ｔ２は、照明装置１が床面に設置された場合である。
【００３８】
図４から分かるように、開口面積比Ｂ／Ａを０．３以上とすれば、孔部２ｂにおける空気の流速Ｓを速くすることができる。また、開口面積比Ｂ／Ａが０．３以上となれば孔部２ｂにおける空気の流速Ｓはほぼ一定となる。  
ここで、空間１ｂにおける自然対流による空気の流れは、発光部５ｂの近傍を流れる空気の流れとなる。そのため、空間１ｂにおける空気の流速Ｓを速くすれば、発光部５ｂにおいて発生した熱を効率よく放熱させることができる。
【００３９】
その結果、図４に示すように、発光部５ｂの温度を効果的に低下させることができる。  また、図４中のＴ２から分かるように、照明装置１の設置方向が変化しても、放熱性能を保つことができる。
【００４０】
図５は、他の実施形態に係る照明装置１１を例示するための模式断面図である。  
なお、図５は、照明装置１１の中心軸１１ａが重力方向に直交する方向を向いている場合である。例えば、照明装置１１が壁面に設置された場合である。  
また、図５においては、煩雑となるのを避けるために、照明装置１１に設けられる一部の要素を省いて描いている。
【００４１】
図５に示すように、照明装置１１には、本体部２、本体部１３、接続部４、発光モジュール５、カバー６、給電部７、および制御部８が設けられている。  
本体部１３は、前述した本体部３と同様に収納部３ａおよび放熱部３ｂを有する。  
また、本体部１３は、さらに凸部１３ａ（第１の凸部の一例に相当する）を有する。すなわち、本体部１３は、前述した本体部３に凸部１３ａをさらに設けた場合である。
【００４２】
凸部１３ａは、空間１ｂの内部に突出している。  
凸部１３ａは、本体部２側に向かうに従い中心軸１１ａに直交する方向の断面積が漸減する形状を有している。凸部１３ａは、例えば、円錐、角錐、円錐台、角錐台などの形状を有するものとすることができる。  
この様な形状を有する凸部１３ａとすれば、空間１b内の空気の流れに乱流渦を生じさせることができるので、空間１ｂから孔部２ｂに向かう自然対流による空気の流れを強めることができる。  
そのため、孔部２ｂにおける空気の流速を速くすることができるので、発光部５ｂにおいて発生した熱を効率よく放熱させることができる。
【００４３】
また、凸部１３ａの中心軸１１ａに直交する方向の断面寸法Ｄ１は、孔部２ｂの空間１ｂ側の開口２ｂ２の中心軸１１ａに直交する方向の断面寸法Ｄ２よりも短くなっている。  この様な寸法を有する凸部１３ａとすれば、空間１ｂにおける自然対流による空気の流れが凸部１３ａにより阻害されるのを抑制することができる。
【００４４】
図６（ａ）〜（ｃ）は、凸部１３ａの効果を例示するための図である。  
なお、図６（ａ）は凸部１３ａが設けられていない場合である。  
図６（ｂ）は、孔部２ｂの開口２ｂ２の断面寸法よりも長い断面寸法を有する凸部１３０ａが設けられている場合である。  
図６（ｃ）は、前述した凸部１３ａが設けられている場合である。  
また、図６（ａ）〜（ｃ）においては、空気の流速の分布をモノトーン色の濃淡で表している。この場合、空気の流速が速いほど淡く、遅いほど濃くなるように表している。  
また、図６（ａ）〜（ｃ）は、中心軸１ａが重力方向に直交する方向を向いている場合である。例えば、照明装置が壁面に設置された場合である。
【００４５】
図６（ｂ）から分かるように、孔部２ｂの開口２ｂ２の断面寸法よりも長い断面寸法を有する凸部１３０ａを設けるようにすると、空間１ｂにおける自然対流による空気の流れが阻害される。  
また、図６（ａ）、（ａ）から分かるように、前述した凸部１３ａを設けるようにすれば、孔部２ｂにおける空気の流速を速くすることができる。そのため、発光部５ｂにおいて発生した熱を効率よく放熱させることができる。
【００４６】
図７（ａ）、（ｂ）は、凸部１３ａの効果を例示するための図である。  
なお、図７（ａ）は、孔部２ｂの開口２ｂ２の断面寸法よりも長い断面寸法を有する凸部１３０ａが設けられている場合である。  
図７（ｂ）は、前述した凸部１３ａが設けられている場合である。  
また、図７（ａ）、（ｂ）においては、空気の流速の分布をモノトーン色の濃淡で表している。この場合、空気の流速が速いほど淡く、遅いほど濃くなるように表している。  
また、図７（ａ）、（ｂ）は、本体部２側が重力方向の上側を向いている場合である。例えば、照明装置が床面に設置された場合である。
【００４７】
図７（ａ）から分かるように、孔部２ｂの開口２ｂ２の断面寸法よりも長い断面寸法を有する凸部１３０ａを設けるようにすると、空間１ｂにおける自然対流による空気の流れが阻害される。  
図７（ｂ）から分かるように、前述した凸部１３ａを設けるようにすれば、孔部２ｂにおける空気の流速を速くすることができる。そのため、発光部５ｂにおいて発生した熱を効率よく放熱させることができる。  
すなわち、凸部１３ａの効果は、照明装置１の設置方向が変化しても保つことができる。
【００４８】
図８は、他の実施形態に係る照明装置２１の断面を例示するための模式斜視図である。  図８に示すように、照明装置２１には、本体部２、本体部２３、接続部４、発光モジュール５、カバー６、給電部７、および制御部８が設けられている。  
本体部２３は、前述した本体部３と同様に収納部３ａおよび放熱部３ｂを有する。  
また、本体部２３は、さらに凸部２３ａを有する。すなわち、本体部２３は、前述した本体部３に凸部２３ａをさらに設けたものである。
【００４９】
凸部２３ａは、一方の端部が閉鎖され、他方の端部が開口した筒状を呈している。  
凸部２３ａは、収納部３ａの本体部２側の面から突出している。凸部２３ａは、孔部２ｂの内部を中心軸２１ａ方向に延びている。凸部２３ａの閉鎖された側の端面は、カバー６の面と面一となっている。  
孔部２ｂの内部に凸部２３ａを設けるようにすれば、孔部２ｂの内部に自然対流による空気の流れを形成することができる。  
また、凸部２３ａの内部には、制御部８の一部が設けられている。  
凸部２３ａの内部に制御部８の一部を設けるようにすれば、照明装置２１の中心軸２１ａ方向の長さを短くすることができる。
【００５０】
図９は、他の実施形態に係る照明装置３１の断面を例示するための模式斜視図である。  図９に示すように、照明装置３１には、本体部３２、本体部３３、接続部４、発光モジュール５、カバー６、給電部７、および制御部８が設けられている。  
なお、図９においては、煩雑となるのを避けるために、照明装置３１に設けられる一部の要素を省いて描いている。
【００５１】
本体部３２は、前述した本体部２と同様に、収納部２ａ、孔部２ｂ、および放熱部２ｃを有する。  
また、本体部３２は、さらに凸部３２ａ（第３の凸部の一例に相当する）を有する。すなわち、本体部３２は、前述した本体部２に凸部３２ａをさらに設けたものである。  
凸部３２ａは、収納部２ａの第２の面２ａ２から空間１ｂの内部に突出している。  
凸部３２ａは、複数設けられている。複数の凸部３２ａは、中心軸３１ａを中心に、所定の間隔を開けて放射状に設けられている。この場合、複数の凸部３２ａの一部分を孔部２ｂの内部に突出させることができる。
【００５２】
凸部３２ａを設けるようにすれば、放熱面積を大きくすることができるので放熱性を向上させることができる。  
また、複数の凸部３２ａを放射状に設けるようにすれば、空間１ｂにおける自然対流による空気の流れが凸部３２ａにより阻害されるのを抑制することができる。
【００５３】
本体部３３は、前述した本体部３と同様に、収納部３ａおよび放熱部３ｂを有する。  
また、本体部３３は、さらに凸部３３ａ（第２の凸部の一例に相当する）を有する。すなわち、本体部３３は、前述した本体部３に凸部３３ａをさらに設けたものである。  
凸部３３ａは、収納部３ａの本体部２側の面から空間１ｂの内部に突出している。  
凸部３３ａは、複数設けられている。複数の凸部３３ａは、中心軸３１ａを中心に、所定の間隔を開けて放射状に設けられている。
【００５４】
凸部３３ａを設けるようにすれば、放熱面積を大きくすることができるので放熱性を向上させることができる。  
また、複数の凸部３３ａを放射状に設けるようにすれば、空間１ｂにおける自然対流による空気の流れが凸部３３ａにより阻害されるのを抑制することができる。
【００５５】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５６】
１  照明装置、１ａ  中心軸、１ｂ  空間、２  本体部、２ａ  収納部、２ａ１  第１の面、２ａ２  第２の面、２ｂ  孔部、２ｂ２  開口、２ｂ１  開口、２ｃ  放熱部、３  本体部、３ａ  収納部、３ｂ  放熱部、４  接続部、４ａ  孔部、５  発光モジュール、５ａ  基板、５ｂ  発光部、５ｃ  光学要素部、６  カバー、７  給電部、８  制御部、１１  照明装置、１１ａ  中心軸、１３  本体部、１３ａ  凸部、２１  照明装置、２１ａ  中心軸、２３  本体部、２３ａ  凸部、３１  照明装置、３１ａ  中心軸、３２  本体部、３２ａ  凸部、３３  本体部、３３ａ  凸部
【図１】
2015060740.tif 000003
【図２】
2015060740.tif 000004
【図３】
2015060740.tif 000005
【図４】
2015060740.tif 000006
【図５】
2015060740.tif 000007
【図８】
2015060740.tif 000008
【図９】
2015060740.tif 000009
【図６】
2015060740.tif 000010
【図７】
2015060740.tif 000011